(57)【要約】  ピクセル構造を駆動する方法を開示する。前記ピクセル構造は、それぞれ理論ピクセルユニットグループと等価な複数のターゲットピクセルユニットグループへ分割される。前記ターゲットピクセルユニットグループ内の各サブピクセルの色成分は、対応する前記理論ピクセルユニットグループ内の各サブピクセルの色成分にしたがって決定される。本発明において、従来のピクセル構造は圧縮され、前記ターゲットピクセルユニットグループ内の少なくとも１つのサブピクセルの色成分は、対応する前記理論ピクセルユニットグループ内の２つのサブピクセルの色成分の最大値または平均値と等価となり、これにより、前記ターゲットピクセルユニットグループ内の少なくとも１つのサブピクセルは、対応する前記理論ピクセルユニットグループ内の２つのサブピクセルの機能を有する。【選択図】図１０
2020504838.tif 000002
【特許請求の範囲】
【請求項１】
ピクセル構造を駆動する方法であって、前記ピクセル構造は複数のピクセル行を有し、各前記ピクセル行は、連続配置された第１サブピクセルと、第２サブピクセルと、第３サブピクセルとを備え、隣接する２つの奇数番号ピクセル行における同色のサブピクセルの２つの発光領域が、互いに整列されており、隣接する２つの偶数番号ピクセル行における同色のサブピクセルの発光領域が、互いに整列されており、隣接する奇数番号ピクセル行と偶数番号ピクセル行の同色のサブピクセルの発光領域は、互い違いになっており、
前記ピクセル構造を駆動する前記方法は、
それぞれ４つの基本ピクセルユニットを備える複数の理論ピクセルユニットグループに画像を分割するステップであって、各前記基本ピクセルユニットは、隣接する３つのサブピクセルを備える、ステップ、および、前記理論ピクセルユニットグループ内の各サブピクセルの色成分を決定するステップ、
それぞれ前記理論ピクセルユニットグループの１つと等価な複数のターゲットピクセルユニットグループへ前記ピクセル構造を分割するステップであって、各前記ターゲットピクセルユニットグループは、それぞれ３つのサブピクセルを備える３つのターゲットピクセルユニットを有する、ステップ、および、対応する前記理論ピクセルユニットグループ内の各サブピクセルの色成分にしたがって前記ターゲットピクセルユニットグループ内の各サブピクセルの色成分を決定するステップ、
を有し、
前記ターゲットピクセルユニットグループ内の少なくとも１つのサブピクセルの色成分は、対応する前記理論ピクセルユニットグループ内の同色の２つのサブピクセルの色成分の最大値または平均値に等しい
ことを特徴とする方法。
【請求項２】
前記ターゲットピクセルユニットグループ内において、第１ターゲットピクセルユニットと第２ターゲットピクセルユニットは三角形であり、第３ターゲットピクセルユニットは矩形である
ことを特徴とする請求項１記載の方法。
【請求項３】
前記第１、第２、および第３ターゲットピクセルユニットは、対応する前記理論ピクセルユニットグループ内の同色の２つのサブピクセルの色成分の最大値または平均値に等しい色成分を有する、少なくとも１つのサブピクセルを有する
ことを特徴とする請求項２記載の方法。
【請求項４】
前記第１ターゲットピクセルユニットと前記第２ターゲットピクセルユニットはそれぞれ、対応する前記理論ピクセルユニットグループ内の同色の２つの対応するサブピクセルの色成分の最大値または平均値に等しい色成分を有する、２つのサブピクセルを有し、
前記第３ターゲットピクセルユニットの中央位置におけるサブピクセルの色成分は、対応する前記理論ピクセルユニットグループ内の同色の２つのサブピクセルの色成分の最大値または平均値に等しい
ことを特徴とする請求項３記載の方法。
【請求項５】
前記第３ターゲットピクセルユニット内の各前記３つのサブピクセルの色成分は、対応する前記理論ピクセルユニットグループ内の同色の２つの対応するサブピクセルの色成分の最大値または平均値に等しいか、
または、
前記第３ターゲットピクセルユニットの中央位置におけるサブピクセルの色成分は、対応する前記理論ピクセルユニットグループ内の同色の２つのサブピクセルの色成分の最大値または平均値に等しい
ことを特徴とする請求項２記載の方法。
【請求項６】
２つのサブピクセルの色成分の前記最大値または前記平均値は、ＯＬＥＤディスプレイスクリーンの駆動ＩＣによって決定される
ことを特徴とする請求項１から５のいずれか１項記載の方法。
【請求項７】
前記第１サブピクセルの形状とサイズと、前記第２サブピクセルの形状とサイズと、および前記第３サブピクセルの形状とサイズとは、同じであり、
前記第１サブピクセルと、前記第２サブピクセルと、および前記第３サブピクセルそれぞれは、長さ対幅比が１．５：１未満の矩形形状を有する
ことを特徴とする請求項１から５のいずれか１項記載の方法。
【請求項８】
同じ行において隣接する前記第１サブピクセルと前記第２サブピクセルとの間の共通境界線は、列方向に沿った隣接行内の最も近い第３サブピクセルの中心線を延伸したものと一致する
ことを特徴とする請求項１から５のいずれか１項記載の方法。
【請求項９】
前記第１サブピクセルと、前記第２サブピクセルと、および前記第３サブピクセルの２つの隣接する側部とは、１以上の弧および／または１以上の直線によって接続されている
ことを特徴とする請求項１から５のいずれか１項記載の方法。
【請求項１０】
前記ピクセル構造は、ＲｅａｌＲＧＢ配置方式にしたがって複数のターゲットピクセルユニットグループへ分割され、行方向における各前記ピクセルユニットグループのサイズは、前記行方向における対応する前記理論ピクセルユニットグループの１つのサイズと等価であり、列方向における各前記ターゲットピクセルユニットグループのサイズは、前記列方向における対応する前記理論ピクセルユニットグループの１つのサイズと等価である
ことを特徴とする請求項１から５のいずれか１項記載の方法。
【発明の詳細な説明】
【技術分野】
【０００１】
本発明は、ディスプレイ技術の分野に関する。具体的には、ピクセル構造を駆動する方法に関する。
【背景技術】
【０００２】
有機発光ダイオード（ＯＬＥＤ）は、アクティブ発光デバイスである。従来のディスプレイ方式である液晶ディスプレイと比較すると、ＯＬＥＤはバックライトを用いずに自己発光することができる。ＯＬＥＤは、有機薄膜とガラス基板によって形成されている。有機材料は電流に応答して発光する。したがってＯＬＥＤディスプレイスクリーンは、電気エネルギーを顕著に節約することができ、ＬＣＤディスプレイスクリーンよりも明るくかつ薄くすることができる。またＯＬＥＤディスプレイスクリーンは、より広範な温度変化に耐えることができ、ＬＣＤディスプレイスクリーンと比較して広範な視野角を可能とする。したがってＯＬＥＤは、ＬＣＤ後の次世代パネルディスプレイ技術となることが期待されており、最も好評なパネルディスプレイ技術の１つである。
【０００３】
ＯＬＥＤスクリーンのカラーパターニング技術は複数存在し、そのなかで比較的成熟しているのは、ＯＬＥＤ蒸着技術である。これはＯＬＥＤスクリーンの大量生産において適用することに成功しているものである。従来のＲＧＢストライプレイアウトがこの技術において蒸着のために用いられ、ＲＧＢ併置方式により最良の画像効果を得ることができる。この併置方式において、３つのサブピクセル（Ｒ，Ｇ，Ｂ）が１ピクセル範囲内に存在する。各サブピクセルは矩形であり、独立した有機発光デバイスに対応する。有機発光デバイスは、高精細メタルマスク（ＦＭＭ）を用いて、蒸着フィルム形成技術により、アレイ基板上の対応するピクセル位置上に形成される。ＦＭＭは蒸着マスクとして略記される。高ＰＰＩ（ピクセル・パー・インチ）ＯＬＥＤディスプレイスクリーンの製造は、ＦＭＭの精度と良好な機械的安定性およびピクセル配置に依拠する。
【０００４】
図１は、従来技術におけるＯＬＥＤディスプレイスクリーンのピクセル配置の概略図である。このピクセル構造は通常、当該分野においてリアルＲＧＢと呼ばれる。図１に示すように、このＯＬＥＤディスプレイスクリーンはピクセル隣接配置を用い、各ピクセルユニットは、Ｒサブピクセル領域１０１、Ｇサブピクセル領域１０３、Ｂサブピクセル領域１０５を有する。Ｒサブピクセル領域１０１は、Ｒ発光領域１０２とＲ非発光領域を有する。Ｇサブピクセル領域１０３は、Ｇ発光領域１０４とＧ非発行領域を有する。Ｂサブピクセル領域１０５は、Ｂ発光領域１０６とＢ非発光領域を有する。図１は、ＲＧＢサブピクセルが全て矩形であり、その発光領域が同じ領域にあり、ＲＧＢサブピクセルが直線配置されていることを示している。各サブピクセル領域の発光領域は、カソード、アノード、電界発光層（有機発光層とも呼ばれる）を有する。電界発光層は、カソードとアノードの間に配置され、所望の色を有する光を生成してディスプレイを実装するために用いられる。ディスプレイスクリーンを準備する間、蒸着プロセスを通常は３回実施して、対応する色を有するピクセル領域の発光領域において特定の色を有する電界発光層を形成する必要がある。
【０００５】
図２に示すＦＭＭは一般に、図１に示すＯＬＥＤディスプレイスクリーンのピクセル構造の蒸着のために用いられる。ＦＭＭは、シールド領域１０７と複数の蒸着開口１０８を有し、同じカラム内の２つの隣接する蒸着開口１０８間のシールド領域はブリッジと呼ばれる。図１の配置において同じ色を有するサブピクセルは長手方向に整列しているので、ＦＭＭ上の対応する蒸着開口１０８は必然的に同様に整列されている。ただしこの配置は、ＦＭＭ上の２つの垂直方向に隣接する蒸着開口１０８間のブリッジを生じさせ、これにより切断リスクが生じる。さらにＦＭＭ上の各蒸着開口１０８は、規定のピクセル位置に対応する必要がある。しかしＦＭＭ上の開口とサブピクセル領域との間の整列のための空間は、従来のピクセル配置方式を用いると狭くなり、これは色欠損、色混合、その他欠陥をもたらす可能性がある。
【発明の概要】
【発明が解決しようとする課題】
【０００６】
本発明の目的は、ピクセル構造を駆動する方法を提供し、これにより従来技術の課題を解決することである。
【課題を解決するための手段】
【０００７】
上記技術的課題を解決するため、本発明はピクセル構造を駆動する方法を提供する。前記ピクセル構造は複数のピクセル行を有し、各前記ピクセル行は、連続配置された第１サブピクセルと、第２サブピクセルと、第３サブピクセルとを備え、隣接する２つの奇数番号ピクセル行における同色のサブピクセルの２つの発光領域が、互いに整列されており、隣接する２つの偶数番号ピクセル行における同色のサブピクセルの発光領域が、互いに整列されており、隣接する奇数番号ピクセル行と偶数番号ピクセル行の同色のサブピクセルの発光領域は、互い違いになっている。
【０００８】
前記ピクセル構造を駆動する前記方法は：それぞれ４つの基本ピクセルユニットを備える複数の理論ピクセルユニットグループに画像を分割するステップであって、各前記基本ピクセルユニットは、隣接する３つのサブピクセルを備える、ステップ、および、前記理論ピクセルユニットグループ内の各サブピクセルの色成分を決定するステップ；それぞれ前記理論ピクセルユニットグループの１つと等価な複数のターゲットピクセルユニットグループへ前記ピクセル構造を分割するステップであって、各前記ターゲットピクセルユニットグループは、それぞれ３つのサブピクセルを備える３つのターゲットピクセルユニットを有する、ステップ、および、対応する前記理論ピクセルユニットグループ内の各サブピクセルの色成分にしたがって前記ターゲットピクセルユニットグループ内の各サブピクセルの色成分を決定するステップ；を有し、前記ターゲットピクセルユニットグループ内の少なくとも１つのサブピクセルの色成分は、対応する前記理論ピクセルユニットグループ内の同色の２つのサブピクセルの色成分の最大値または平均値に等しい。
【０００９】
これに代えて、前記ピクセル構造を駆動する前記方法において、前記ターゲットピクセルユニットグループ内で、第１ターゲットピクセルユニットと第２ターゲットピクセルユニットは三角形であり、第３ターゲットピクセルユニットは矩形である。
【００１０】
これに代えて、前記ピクセル構造を駆動する前記方法において、前記第１、第２、および第３ターゲットピクセルユニットはそれぞれ、対応する前記理論ピクセルユニットグループ内の同色の２つのサブピクセルの色成分の最大値または平均値に等しい色成分を有する、少なくとも１つのサブピクセルを有する。
【００１１】
これに代えて、前記ピクセル構造を駆動する前記方法において、前記第１ターゲットピクセルユニットと前記第２ターゲットピクセルユニットはそれぞれ、対応する前記理論ピクセルユニットグループ内の同色の２つの対応するサブピクセルの色成分の最大値または平均値に等しい色成分を有する、２つのサブピクセルを有し、前記第３ターゲットピクセルユニットの中央位置におけるサブピクセルの色成分は、対応する前記理論ピクセルユニットグループ内の同色の２つのサブピクセルの色成分の最大値または平均値に等しい。
【００１２】
これに代えて、前記ピクセル構造を駆動する前記方法において、前記第３ターゲットピクセルユニット内の各前記３つのサブピクセルの色成分は、対応する前記理論ピクセルユニットグループ内の同色の２つの対応するサブピクセルの色成分の最大値または平均値に等しい。
【００１３】
これに代えて、前記ピクセル構造を駆動する前記方法において、前記第３ターゲットピクセルユニットの中央位置におけるサブピクセルの色成分は、対応する前記理論ピクセルユニットグループ内の同色の２つのサブピクセルの色成分の最大値または平均値に等しい。
【００１４】
これに代えて、前記ピクセル構造を駆動する前記方法において、２つのサブピクセルの色成分の前記最大値または前記平均値は、ＯＬＥＤディスプレイスクリーンの駆動ＩＣによって決定される。
【００１５】
これに代えて、前記ピクセル構造を駆動する前記方法において、前記第１サブピクセルの形状とサイズと、前記第２サブピクセルの形状とサイズと、および前記第３サブピクセルの形状とサイズとは、同じであり、前記第１サブピクセルと、前記第２サブピクセルと、および前記第３サブピクセルそれぞれは、長さ対幅比が１．５：１未満の矩形形状を有する。同じ行において隣接する前記第１サブピクセルと前記第２サブピクセルとの間の共通境界線は、列方向に沿った隣接行内の最も近い第３サブピクセルの中心線を延伸したものと一致する。前記第１サブピクセルと、前記第２サブピクセルと、および前記第３サブピクセルの２つの隣接する側部とは、１以上の弧および／または１以上の直線によって接続されている。
【００１６】
これに代えて、前記ピクセル構造を駆動する前記方法において、前記ピクセル構造は、ＲｅａｌＲＧＢ配置方式にしたがって複数のターゲットピクセルユニットグループへ分割され、行方向における各前記ピクセルユニットグループのサイズは、前記行方向における対応する前記理論ピクセルユニットグループの１つのサイズと等価であり、列方向における各前記ターゲットピクセルユニットグループのサイズは、前記列方向における対応する前記理論ピクセルユニットグループの１つのサイズと等価である。
【００１７】
従来技術と比較すると、本発明は、それぞれ理論ピクセルユニットグループと等価な複数のターゲットピクセルユニットグループへピクセル構造を分割し、前記ターゲットピクセルユニットグループ内の各サブピクセルの色成分は、前記理論ピクセルユニットグループ内の各サブピクセルの色成分にしたがって決定される。本発明は、従来技術における４ピクセルユニットを３ピクセルユニットへ圧縮して、ターゲットピクセルユニットグループ内の少なくとも１つのサブピクセルの色成分が、理論ピクセルユニットグループ内の２つのサブピクセルの色成分の最大値または平均値と等価となるようにする。したがって、ターゲットピクセルユニットグループ内の少なくとも１つのサブピクセルは、理論ピクセルユニットグループ内の２つのサブピクセルの機能を受け持ち、これによりピクセル構造を駆動する。
【図面の簡単な説明】
【００１８】
【図１】従来技術のピクセル構造の概略図である。
【図２】図１に対応するＦＭＭの概略図である。
【図３】本発明の実施形態に係るピクセル構造の概略図である。
【図４】図３に対応するＦＭＭの概略図である。
【図５】本発明の実施形態に係る別ピクセル構造の概略図である。
【図６】本発明の実施形態に係る別ピクセル構造の概略図である。
【図７】本発明の実施形態に係る別ピクセル構造の概略図である。
【図８】本発明の実施形態に係る別ピクセル構造の概略図である。
【図９】本発明の実施形態に係るゲートラインとデータラインに接続されたピクセル構造の概略図である。
【図１０】本発明の実施形態に係る理論ピクセルユニットグループの概略等価図である。
【図１１】本発明の実施形態に係る４つの理論ピクセルユニットグループの概略等価図である。
【図１２】本発明の実施形態に係る色成分を有するピクセル構造の概略図である。
【図１３】図１２のピクセル構造の概略等価図である。
【図１４】本発明の実施形態に係る色成分を有する別ピクセル構造の概略図である。
【図１５】図１４のピクセル構造の概略等価図である。
【発明を実施するための形態】
【００１９】
背景技術において説明したように、高ＰＰＩ  ＯＬＥＤディスプレイスクリーンを製造することは、ＦＭＭの精度と良好な機械的安定性およびピクセル配置方式に依拠する。ＦＭＭはピクセル蒸着の主要要素である。したがって、ＦＭＭにおける歪み、ひび割れ、その他問題が生じないようにし、これにより欠陥が蒸着品質に対して影響するのを避けることが必要である。例えば蒸着膜の破損やずれである。ピクセルとサブピクセルの配置方式は、ＦＭＭが容易に歪みまたはひび割れるか否かにとって重要である。すなわち、ピクセルとサブピクセルの配置方式は、ＦＭＭの機械的特性を顕著に規定し、ＦＭＭの機械的特性は蒸着品質を顕著に規定する。図２に示すＦＭＭにおいて、蒸着開口は、特定の色を有するサブピクセルに対応する位置にセットされている。図１のＲｅａｌＲＧＢ配置方式において同色を有するサブピクセルは長手方向に整列されているので、ＦＭＭ上の対応する蒸着開口１０８も必然的に同様に配置され、これにより蒸着プロセスにおけるマスク製造と実装の困難度が増している。
【００２０】
先行研究に基づき、本発明はＯＬＥＤディスプレイスクリーンのピクセル構造を提供する。このピクセル構造は、それぞれ複数のサブピクセルを有する複数のピクセル行（または列）を有する。サブピクセルは、第１サブピクセル、第２サブピクセル、第３サブピクセルを含み、連続して繰り返し配置されている。第１サブピクセル、第２サブピクセル、および第３サブピクセルの発光領域は全て、長さ対幅比が１．５：１未満の矩形である。２つの隣接する奇数番号行（または列）における同色のサブピクセルの発光領域は、互いに対向して整列されている。２つの隣接する奇数番号行（または列）における同色のサブピクセルの発光領域も、互いに対向して整列されている。また、隣接する奇数番号と偶数番号行（または列）の同色のサブピクセルの発光領域は、互い違いになっている。各サブピクセルの長さ対幅比（長いほうの側部長の、短い側部長に対する比）は、１．５：１未満にセットされており（すなわち、各サブピクセルの形状は正方形または略正方形）、これにより開口をできる限り大きくしている。同様に、各サブピクセルの形状が正方形または略正方形となるように、４つのピクセルユニット（１２個のサブピクセルを含む）は、３つのピクセルユニット（９個のサブピクセルを含む）へ変換されている。また、隣接する奇数番号と偶数番号行の同色のサブピクセルの発光領域は互い違いになっているので、蒸着マスク上の蒸着開口も互い違いになっており、これにより蒸着マスクの強度を増し、歪み、ひび割れ、その他蒸着マスクの問題を回避している。これにより、蒸着膜の破損やずれなどの蒸着品質に対して欠陥が影響することを抑制し、蒸着プロセスのマスク製造と実装の困難性を緩和している。さらに、第１サブピクセル、第２サブピクセル、第３サブピクセルは全て、形状とサイズが同じであり、蒸着マスク上の蒸着開口は均等間隔を有し、これによりさらに蒸着マスクの強度を増している。
【００２１】
したがって本発明はさらに、ピクセル構造を駆動する方法を提供する。本方法は以下を有する：それぞれ４つの基本ピクセルユニットを有する複数の理論ピクセルユニットグループ（または基本ピクセルグループと呼ばれる）へ、表示すべき画像を分割するステップであって、各基本ピクセルユニットは隣接する３つのサブピクセルを有する、ステップ、および、各理論ピクセルユニットグループ内の各サブピクセルの色成分を決定するステップ；それぞれ理論ピクセルユニットグループと等価な複数のターゲットピクセルユニットグループへ、前記ピクセル構造を分割するステップ。各ターゲットピクセルユニットグループは、３つのターゲットピクセルユニットを有する。各ターゲットピクセルユニットは３つのサブピクセルを有する。ターゲットピクセルユニットグループ内の各サブピクセルの色成分は、理論ピクセルユニットグループ内の各サブピクセルの色成分にしたがって決定される。ターゲットピクセルユニットグループ内の少なくとも１つのサブピクセルの色成分は、理論ピクセルユニットグループ内の対応する色を有する２つのサブピクセルの色成分の最大値または平均値に等しい。このように、４つのピクセルユニットは３つのピクセルユニットに圧縮され、これによりピクセル構造を分割する。
【００２２】
図面を参照して、本発明をさらに詳細に説明する。本発明の利点と特徴は、以下の説明と特許請求範囲によってより明らかになるであろう。
【００２３】
図３は、本発明の実施形態に係るＯＬＥＤディスプレイスクリーンのピクセル配置を示す概略図である。Ｘ方向は各ピクセル行の延伸方向を表し、行方向と呼ばれる（すなわち水平方向）。Ｙ方向はＸ方向に対して垂直な方向を表し、列方向と呼ばれる（すなわち垂直方向）。行方向におけるサブピクセルの発光領域のサイズが、列方向におけるサイズよりも小さい場合、列方向はサブピクセルの長さ方向と呼ばれ、行方向はサブピクセルの幅方向と呼ばれる。“サブピクセルの長さ”は、列方向におけるサブピクセルの発光領域のサイズを表し、“サブピクセルの幅”は、行方向におけるサブピクセルの発光領域のサイズを表す。行方向におけるサブピクセルの発光領域のサイズが列方向のサイズよりも大きい場合、行方向はサブピクセルの長さ方向と呼ばれ、列方向はサブピクセルの幅方向と呼ばれる。“サブピクセルの長さ”は、行方向におけるサブピクセルの発光領域のサイズを表し、“サブピクセルの幅”は、列方向におけるサブピクセルの発光領域のサイズを表す。“サブピクセルの長さ対幅比”は、長さ方向におけるサブピクセルの発光領域の最大サイズの、幅方向における最大サイズに対する比率を表す。
【００２４】
簡易化のため、図面においてＯＬＥＤディスプレイスクリーン部分のみを示すが、実製品におけるピクセルユニットの個数はそれに限られるものではなく、実際のディスプレイ要件に基づき変更することができる。本発明における用語“第１行”、“第２行”、“第１列”、“第２列”、・・・などは、提示した図面を基準として本発明を説明するために用いるものであり、実製品における行列を表すものではない。
【００２５】
図３に示すように、ＯＬＥＤディスプレイスクリーンのピクセル構造３００は、複数のピクセル行を有し、ピクセル構造内のサブピクセルは隣接配置されている。各ピクセル行は、連続して繰り返し配置された第１サブピクセル３０１、第２サブピクセル３０３、第３サブピクセル３０５を有する。２つの隣接する奇数番号行内の同色のサブピクセルの発光領域は、互いに対向して整列されており、２つの隣接する奇数番号行内の同色のサブピクセルの発光領域も、互いに対向して整列されている。ただし、隣接する奇数番号と偶数番号行内の同色のサブピクセルの発光領域は、互い違いになっている。換言すると、全ての奇数番号行内のサブピクセルは同様に配置され、全ての偶数番号行内のサブピクセルも同様に配置されている。ただし、奇数番号と偶数番号行内の同色のサブピクセルの発光領域は、互いに入れ違いになっている。
【００２６】
この実施形態において、第１サブピクセル３０１、第２サブピクセル３０３、第３サブピクセル３０５の発光領域は、全て形状とサイズが同じである。同じ行において隣接する第１サブピクセル３０１と第２サブピクセル３０３との間の境界線は、列方向に沿った隣接行における最も近い第３サブピクセル３０５の発光領域の中心線を延伸したものと一致する。これにより、ＲＧＢサブピクセルは均等に分散することができ、望ましいディスプレイ効果を実現できる。具体的には、列方向に沿った第３サブピクセル３０５の延伸中心線３０５’（延伸中心線３０５’は列方向に沿って延伸し、延伸中心線３０５’は第３サブピクセル３０５を２つの部分に均等分割している）は、第１サブピクセル３０１と第２サブピクセル３０３との間の共通境界線と一致している。換言すると、この配置において、隣接する奇数番号と偶数番号行内の同色のサブピクセル（例えば第１サブピクセル３０１）は、１．５サブピクセル分の距離で互い違いになっている。すなわち、２つの隣接行内の最も近い同色の２つのサブピクセルの発光領域の中心点は、行方向において１．５サブピクセルサイズの距離だけ離隔している。同じ行内の最も近い同色の２つのサブピクセルの中心点は、行方向において３サブピクセルサイズの距離だけ離隔している。ピクセルユニットの第１サブピクセル３０１と第２サブピクセル３０３は片側を共有し、これは第１サブピクセル３０１と第２サブピクセル３０３との間の共通境界線であることが分かる。ただし本明細書における“境界”または“境界線”は、実製品の“境界”または“境界線”に限定されず、２つのサブピクセル間の仮想“境界”または“境界線”を指す場合もある。最適配置効果は、隣接する第１サブピクセル３０１と第２サブピクセル３０３との間の境界線が列方向に沿って隣接する行内の最も近い第３サブピクセル３０５の延伸中心線と一致する場合において得られるが、隣接する奇数番号と偶数番号行内における同色のサブピクセルが互い違いになる距離は、１．５サブピクセルに限らない。例えば１．４〜１．６サブピクセルも許容可能である。
【００２７】
第１サブピクセル３０１、第２サブピクセル３０３、または第３サブピクセル３０５の色は、赤緑青のいずれでもよい。サブピクセル３０１、３０３、３０５の色は互いに異なる。例えば図３において、第１サブピクセル３０１は緑（Ｇ）サブピクセルであり、第２サブピクセル３０３は青（Ｂ）サブピクセルであり、第３サブピクセル３０５は赤（Ｒ）サブピクセルである。各奇数番号行において、複数のサブピクセルは、色シーケンスＧＢＲＧＢＲ・・・にしたがって繰り返し配置されている。各偶数番号行において、複数のサブピクセルは、色シーケンスＲＧＢＲＧＢ・・・にしたがって繰り返し配置されている。サブピクセル３０１、３０３、３０５の色が互いに異なる場合、第１サブピクセル３０１は青サブピクセルまたは赤サブピクセルであり、第２サブピクセル３０３は緑サブピクセルまたは赤サブピクセルであり、第３サブピクセル３０５は緑サブピクセルまたは青サブピクセルである。
【００２８】
第１サブピクセル３０１、第２サブピクセル３０３、第３サブピクセル３０５はそれぞれ、発光領域（ディスプレイ領域）と非発光領域（非ディスプレイ領域）を有する。各サブピクセルの発光領域は、カソード、アノード、電界発光層（有機発光層とも呼ばれる）を有する。電界発光層は、カソードとアノードの間に配置され、所望色を有する光を生成してディスプレイを実装するために用いられる。この実施形態において、第１サブピクセル３０１はＧ発光領域３０２を有し、第２サブピクセル３０３はＢ発光領域３０４を有し、第３サブピクセル３０５はＲ発光領域３０６を有する。蒸着プロセスは通常、特定の色（例えば赤、緑、青）を有する電界発光層を形成するためには、対応する色を有するピクセル領域の発光領域において、３回実施することが必要である。
【００２９】
図４は、図３に示すピクセル構造に対して適用されるＦＭＭの概略図である。図４に示すように、ＦＭＭ４００は、複数の蒸着開口４０８を有する。蒸着開口４０８は、図３における同色（例えば緑）を有するサブピクセルに対応する。隣接する奇数番号と偶数番号行内の同色を有するサブピクセルは、長手方向に沿った同じ線上に配置されておらず、互い違いになっている（揃っていない）。したがって、サブピクセルを形成するために用いる蒸着マスク（ＦＭＭ）上の蒸着開口も、互い違いになっている。互い違い配置により、２つの隣接行内の最も近い２つの蒸着開口４０８間の距離が増していることが、図４から見て取れる。これによりＦＭＭの強度を増し、歪み、ひび割れ、その他ＦＭＭの問題を回避し、例えば蒸着膜の破損やずれなどの蒸着品質に対して欠陥が影響することを緩和できる。
【００３０】
引き続き図３を参照する。この実施形態において、第１サブピクセル３０１、第２サブピクセル３０３、第３サブピクセル３０５の発光領域は全て四角形であり、各サブピクセルの発光領域の長さ対幅比（長いほうの側部長の短い側部長に対する比）は１．５：１未満である。すなわち、Ｌ２が長い側であればＬ２：Ｌ１＜１．５：１であり、Ｌ１が長い側であればＬ１：Ｌ２＜１．５：１である。各サブピクセルの長さ対幅比は１．５：１未満にセットされ、これにより開口をできる限り大きくしている。同様に、サブピクセルの形状が矩形または略矩形となるようにするため、ＲｅａｌＲＧＢ配置方式における４つのピクセルユニットは、この実施形態において３つのピクセルユニットへ変換されている。すなわち、図３に示す３×３ピクセルアレイにおいて、行方向におけるサイズはＲｅａｌＲＧＢ配置方式における２つのピクセルユニット（２ピクセル）のサイズと等価であり、列方向におけるサイズはＲｅａｌＲＧＢ配置方式における２つのピクセルユニットのサイズと等価である。換言すると、この実施形態における９個のサブピクセルは、従来技術における１２個のサブピクセルと等価である。第１サブピクセル３０１、第２サブピクセル３０３、第３サブピクセル３０５の発光領域は、全て正方形であることが望ましい。すなわち、各サブピクセルの発光領域の長さ対幅比（Ｌ２：Ｌ１）は１：１である。同様に、図４の蒸着開口４０８も正方形である。本願発明者は研究により、サブピクセルの発光領域の長さ対幅比が１：１に近いほど、ＦＭＭ上の蒸着開口の長さ対幅比も１：１に近づくことを発見した。これにより、ＦＭＭは歪みやひび割れが生じにくくなり、ＦＭＭの強度をより高めることができる。
【００３１】
ただし、第１サブピクセル３０１、第２サブピクセル３０３、第３サブピクセル３０５の発光領域の形状は正方形に限定されるものではなく、長さ対幅比が１．５：１未満の矩形であってもよいことを付言しておく。図５に示すように、第１サブピクセル３０１、第２サブピクセル３０３、第３サブピクセル３０５のＬ２は、これらのＬ１よりも大きい。各矩形サブピクセルの長さ対幅比（Ｌ２：Ｌ２）は、１．１：１、１．２：１、１．３：１、または１．４：１であってもよい。この比が１．５：１未満である限り、望ましい効果が得られる。
【００３２】
また実際の生産において、製品の実際の形状（およびサイズ）と設計した形状（およびサイズ）との間である程度の逸脱があっても許容されることが、理解できる。一般に、製品の実際の形状（およびサイズ）が設計した形状（およびサイズ）に基づく許容逸脱範囲内に収まる限り、使用要件は満たされる。例えば、第１サブピクセル３０１、第２サブピクセル３０３、第３サブピクセル３０５の発光領域も正方形類似または矩形類似の形状（例えば矩形または正方形に近い台形）であってもよく、例えば二等辺台形、非二等辺台形、等脚台形、逆台形、左９０度回転した台形、または右９０度回転した台形であってもよい。望ましい状況としては、台形は二等辺台形であり、二等辺台形の上辺と底辺との間の差分が底辺長さの１０％未満であり、台形の２脚と上辺との間の角度がともに９０°超かつ１００°未満であり、二等辺台形の２脚と底辺との間の角度がともに８０°超かつ９０°未満である。第１サブピクセル３０１、第２サブピクセル３０３、第３サブピクセル３０５の発光領域の形状は、概ね四角形（許容逸脱範囲内）であり、望ましい配置効果を得ることができる。第１サブピクセル３０１、第２サブピクセル３０３、第３サブピクセル３０５の発光領域の形状が等脚台形または逆台形であれば、台形の上辺と底辺の長さの平均値と高さのうちの最大値は、台形の長さ方向サイズとみなし、台形の上辺と底辺の長さの平均値と高さのうちの最小値は、台形の幅方向サイズとみなすことが、理解できる。この場合、台形の長さ方向サイズの幅方向サイズに対する比は１．５未満である。
【００３３】
一方で上述のように、第１サブピクセル３０１、第２サブピクセル３０３、第３サブピクセル３０５の発光領域の形状が全て正方形である場合は最適効果を得ることができるが、実際の生産において理想角度を有する完全正方形が得られるとは考えにくい。したがって、何らかの適当な変形は許容される。例えば２つの隣接する辺３０２１と３０２２は、図３のように直角に交差していなくともよい。これに代えて、これら辺が接続して、湾曲交差部（すなわち、２つの隣接する辺３０２１と３０２２が曲線部３０２３によって接続されている）を形成してもよい。すなわち図６に示すように、正方形の角度は全て弧形状である。別例として、２つの隣接する辺３０２１と３０２２は、直線部３０２４によって接続し、これにより四角形を八角形にしてもよい。この八角形は図７に示すように、全体形状は四角形であり、長さ対幅比は１．５：１未満である。これに代えて、２つの隣接する辺３０２１と３０２２は、２つの直線部によって接続し、これにより四角形を十二角形にしてもよい。まとめると、第１サブピクセル３０１、第２サブピクセル３０３、第３サブピクセル３０５の発光領域が全体として四角形であり、その長さ対幅比が１．５：１未満である限り、本発明の目的を実現できる。
【００３４】
また実際の設計と生産において必要となるように、図３に示すピクセル構造は、左右へ９０度または１８０度回転してもよい。例えば図３に示す構造を左９０度回転し、図８に示すピクセル構造を得る。図８に示すように、このピクセル構造は複数のピクセル列を有する。各ピクセル列は、連続して繰り返し配置された第１サブピクセル３０１、第２サブピクセル３０３、第３サブピクセル３０５を有する。２つの隣接する奇数番号列内の同色のサブピクセルの発光領域は、互いに対向して整列されており、２つの隣接する偶数番号列内の同色のサブピクセルの発光領域は、互いに対向して整列されている。ただし、隣接する偶数番号と奇数番号列内の同色のサブピクセルの発光領域は、互い違いになっている。換言すると、全ての奇数番号列内のサブピクセルは同様に配置されており、全ての偶数番号列内のサブピクセルは同様に配置されている。ただし、隣接する奇数番号と偶数番号列内の同色のサブピクセルの発光領域は、水平線上に配置されておらず、互い違いになっている（整列されていない）。図８の行方向と列方向は、図３の行方向と列方向を入れ替えることにより得られる。ただし、各サブピクセルの発光領域の長さ対幅比は１．５：１未満であり、１：１であることが望ましい。ＦＭＭ上の各蒸着開口の長さ対幅比が１：１に近づくほど、ＦＭＭの歪みまたはひび割れは生じにくくなり、ＦＭＭの強度が増す。
【００３５】
この実施形態の別側面として、上記いずれかのピクセル構造を用いることができるＯＬＥＤディスプレイスクリーンを提供する。例えば図３に示すピクセル構造３００を用いることにより、ピクセル構造３００内の各ピクセル行はゲートラインに接続され、各ピクセル列はデータラインに接続される。図９に示すように、複数ピクセル行がそれぞれゲートラインＧ１、Ｇ２、Ｇ３、・・・に接続され、複数ピクセル列がそれぞれデータラインＳ１、Ｓ２、Ｓ３、・・・に接続されている。さらに、ピクセル構造３００における奇数番号と偶数番号列内の同色のサブピクセルの発光領域は互い違いになっており、データラインは曲げることができる。
【００３６】
引き続き図９を参照する。ＯＬＥＤディスプレイスクリーンのピクセル構造は、複数のターゲットピクセルユニットグループＰ０を有する。各ターゲットピクセルユニットグループＰ０は、ＲｅａｌＲＧＢピクセル構造における理論ピクセルユニットグループと等価である。すなわち、ターゲットピクセルユニットグループのサイズと理論ピクセルユニットグループのサイズは行方向において等しく、ターゲットピクセルユニットグループのサイズと理論ピクセルユニットグループのサイズは列方向において等しい。各ターゲットピクセルユニットグループＰ０は、３つのターゲットピクセルユニットＰ１、Ｐ２、Ｐ３を有し、各ターゲットピクセルユニットは３つのサブピクセルを有する。３つのターゲットピクセルユニットのなかで、第１ピクセルユニットＰ１と第２ピクセルユニットＰ２は同じ直線上に並んで配置され、第３ピクセルユニットＰ３は別の直線上に配置されている。第１ピクセルユニットＰ１内のサブピクセルと第２ピクセルユニットＰ２内のサブピクセルは三角形状に分散しており、第３ピクセルユニットＰ３内のサブピクセルは線状に分散している。すなわち、ピクセルユニットＰ１とＰ２はともに三角形であり、ピクセルユニットＰ３は矩形である。
【００３７】
各ターゲットピクセルユニットグループＰ０は、９個のサブピクセルを有する。したがって各ターゲットピクセルユニットグループＰ０は、３つのゲートラインと３つのデータラインに接続されている。図１０を参照する。従来のＲｅａｌＲＧＢピクセル構造において、各理論ピクセルユニットグループは４つの基本ピクセルユニットを有し、各基本ピクセルユニットは３つのサブピクセルを有する。すなわち、各理論ピクセルユニットグループは、１２個のサブピクセルを有し、２つのゲートラインと６個のデータラインに接続されている。これに対して、この実施形態のピクセル構造において接続されているゲートラインの数はＲｅａｌＲＧＢピクセル構造において接続されている数よりも多いが（この実施形態において各ピクセルユニットグループに接続されているゲートラインの数は、ＲｅａｌＲＧＢピクセル構造におけるものの１．５倍である）、この実施形態において接続されているデータラインの数はＲｅａｌＲＧＢピクセル構造において接続されているものよりも少ない（この実施形態において各ピクセルユニットグループに接続されているデータラインの数は、ＲｅａｌＲＧＢピクセル構造におけるものの５０％である）。したがって、ディスプレイスクリーンに接続されている信号ラインの数は少なくなっている。
【００３８】
上記ピクセル構造において、この実施形態はさらに、以下のステップを有する駆動方法を提供する：
それぞれ４つのアレイ状に分散した基本ピクセルユニットを有する複数の理論ピクセルユニットグループへ、表示すべき画像を分割するステップであって、各前記基本ピクセルユニットは、隣接配置された３つのサブピクセルを有する、ステップ、および、各前記理論ピクセルユニットグループ内の各前記サブピクセルの色成分を決定するステップ；
それぞれ前記理論ピクセルユニットグループと等価な複数のターゲットピクセルユニットグループへ前記ピクセル構造を分割するステップであって、各前記ターゲットピクセルユニットグループは、３つのターゲットピクセルユニットを有し、各前記ターゲットピクセルユニットは３つのサブピクセルを有する、ステップ、および、前記理論ピクセルユニットグループ内の各前記サブピクセルの色成分にしたがって、前記ターゲットピクセルユニットグループ内の各前記サブピクセルによって実際に生成される色成分を決定するステップ、
を有し、
前記ターゲットピクセルユニットグループ内の少なくとも１つのサブピクセルの色成分は、対応する前記理論ピクセルユニットグループ内の同色の２つのサブピクセルの色成分の最大値または平均値に等しい。
【００３９】
図１０と図１１を参照して、の実施形態の駆動方法を詳細に説明する。
【００４０】
画像表示前、表示すべき画像はまず、ＲｅａｌＲＧＢピクセル構造にしたがって、複数の理論ピクセルユニットグループへ分割され、次にピクセル構造は複数のターゲットピクセルユニットグループへ分割される。各ターゲットピクセルユニットグループは、理論ピクセルユニットグループと等価である。
【００４１】
図１０は、本発明の実施形態に係る理論ピクセルユニットグループの概略等価図である。図１０（ａ）は、ＲｅａｌＲＧＢピクセル構造における理論ピクセルユニットグループの概略図である。図１０（ｂ）は、この実施形態におけるターゲットピクセルユニットグループの概略図である。
【００４２】
図１０（ａ）に示すように、理論ピクセルユニットグループは４つの基本ピクセルユニットＰ１’、Ｐ２’、Ｐ３’、Ｐ４’を有し、各基本ピクセルユニットは隣接配置された３つのサブピクセルを有する。３つのサブピクセルは、Ｒサブピクセル、Ｇサブピクセル、Ｂサブピクセルを含む。基本ピクセルユニットＰ１’とＰ２’内のサブピクセルおよび基本ピクセルユニットＰ３’とＰ４’内のサブピクセルは、それぞれ異なる２つの行に配置されている。基本ピクセルユニットＰ１’は、ゲートラインＧ１’、データラインＳ１’、Ｓ２’、Ｓ３’の制御下にある。基本ピクセルユニットＰ２’は、ゲートラインＧ１’、データラインＳ４’、Ｓ５’、Ｓ６’の制御下にある。基本ピクセルユニットＰ３’は、ゲートラインＧ２’、データラインＳ１’、Ｓ２’、Ｓ３’の制御下にある。基本ピクセルユニットＰ４’は、ゲートラインＧ２’、データラインＳ４’、Ｓ５’、Ｓ６’の制御下にある。４つの基本ピクセルユニットＰ１’、Ｐ２’、Ｐ３’、Ｐ４’は、全て矩形であることが分かる。
【００４３】
図１０（ｂ）に示すように、ターゲットピクセルユニットグループは、３つのターゲットピクセルユニットＰ１、Ｐ２、Ｐ３を有する。各ターゲットピクセルユニットは、隣接する３つのサブピクセルを有する。３つのサブピクセルは、Ｒサブピクセル、Ｇサブピクセル、Ｂサブピクセルを有する。ターゲットピクセルユニットＰ１は、ゲートラインＧ１、Ｇ２とデータラインＳ１、Ｓ２の制御下にある。ターゲットピクセルユニットＰ２は、ゲートラインＧ１、Ｇ２とデータラインＳ２、Ｓ３の制御下にある。ターゲットピクセルユニットＰ３は、ゲートラインＧ３とデータラインＳ１、Ｓ２、Ｓ３の制御下にある。ターゲットピクセルユニットＰ１とＰ２はともに三角形であり、ターゲットピクセルユニットＰ３は矩形であることが分かる。
【００４４】
理論ピクセルユニットグループ内の各サブピクセルの色成分が決定されると、色成分はターゲットピクセルユニットへマッピングされる。具体的には図１０において、ターゲットピクセルユニットＰ１は、基本ピクセルユニットＰ１’の色成分を有する。ターゲットピクセルユニットＰ２は、基本ピクセルユニットＰ２’の色成分を有する。ターゲットピクセルユニットＰ３は、基本ピクセルユニットＰ３’とＰ４’の色成分を有する。具体的には、ターゲットピクセルユニットＰ３内の少なくとも１つのサブピクセルの色成分は、基本ピクセルユニットＰ３’とＰ４’内の対応する色を有する２つのサブピクセルの色成分の最大値または平均値に等しい。
【００４５】
図１１（ａ）は、ＲｅａｌＲＧＢピクセル構造における４つの理論ピクセルユニットグループの概略図である。図１１（ｂ）は、この実施形態のピクセル構造における４つのターゲットピクセルユニットグループの概略図である。
【００４６】
図１１（ａ）に示すように、理論ピクセルユニットグループの第１行第１列内の基本ピクセルユニットＰ１’において、赤サブピクセルはＲ１１と表記され、緑サブピクセルはＧ１１と表記され、青サブピクセルはＢ１１と表記されている。第１行第２列内の基本ピクセルユニットＰ２’において、赤サブピクセルはＲ１２と表記され、緑サブピクセルはＧ１２と表記され、青サブピクセルはＢ１２と表記されている。第２行第１列内の基本ピクセルユニットＰ３’において、赤サブピクセルはＲ２１と表記され、緑サブピクセルはＧ２１と表記され、青サブピクセルはＢ２１と表記されている。第２行第２列内の基本ピクセルユニットＰ４’において、赤サブピクセルはＲ２２と表記され、緑サブピクセルはＧ２２と表記され、青サブピクセルはＢ２２と表記されている。残りも同様に表記することができる。
【００４７】
実際のディスプレイにおいて、ターゲットピクセルユニットＰ１は、基本ピクセルユニットＰ１’と等価である。したがって、ターゲットピクセルユニットＰ１内の赤サブピクセルは、基本ピクセルユニットＰ１’内の赤サブピクセルＲ１１の色成分を有し、ターゲットピクセルユニットＰ１内の緑サブピクセルは、基本ピクセルユニットＰ１’内の緑サブピクセルＧ１１の色成分を有し、ターゲットピクセルユニットＰ１内の青サブピクセルは、基本ピクセルユニットＰ１’内の青サブピクセルＢ１１の色成分を有する。また、ターゲットピクセルユニットＰ２は基本ピクセルユニットＰ２’と等価である。したがって、ターゲットピクセルユニットＰ２内の赤サブピクセルは、基本ピクセルユニットＰ２’内の赤サブピクセルＲ１２の色成分を有し、ターゲットピクセルユニットＰ２内の緑サブピクセルは、基本ピクセルユニットＰ２’内の緑サブピクセルＧ１２の色成分を有し、ターゲットピクセルユニットＰ２内の青サブピクセルは、基本ピクセルユニットＰ２’内の青サブピクセルＢ１２の色成分を有する。
【００４８】
ターゲットピクセルユニットグループ内の３つのピクセルユニットは、理論ピクセルユニットグループ内の４つのピクセルユニットの色成分を有する必要があるので、ターゲットピクセルユニットＰ３は、基本ピクセルユニットＰ３’およびＰ４’と等価である。１態様において、基本ピクセルユニットＰ３’とＰ４’内の対応する色を有する２つのサブピクセルの色成分の最大値は比較により決定され、ターゲットピクセルユニットＰ３内の対応する色を有するサブピクセルの色成分は、この最大値と等価である。例えばターゲットピクセルユニットＰ３内の赤サブピクセルの色成分は、基本ピクセルユニットＰ３’、Ｐ４’内の２つの赤サブピクセルＲ２１およびＲ２２の最大値と等価であり；ターゲットピクセルユニットＰ３内の緑サブピクセルの色成分は、基本ピクセルユニットＰ３’、Ｐ４’内の２つの赤サブピクセルＧ２１およびＧ２２の最大値と等価であり；ターゲットピクセルユニットＰ３内の青サブピクセルの色成分は、基本ピクセルユニットＰ３’、Ｐ４’内の２つの青サブピクセルＢ２１およびＢ２２の最大値と等価である。別態様において、基本ピクセルユニットＰ３’、Ｐ４’内の対応する色を有する２つのサブピクセルの色成分の平均値を取得し、ターゲットピクセルユニットＰ３内の対応する色を有するサブピクセルの色成分は、この平均値と等価である。
【００４９】
以上の駆動手順は、ディスプレイスクリーンの駆動ＩＣによって制御することができる。駆動ＩＣを用いることにより、２つのサブピクセルのデータ電圧の大きさを比較して、２つのサブピクセルの色成分の値を決定し、これにより、理論ピクセルユニットグループ内の対応する色を有する２つのサブピクセルの色成分の最大値にしたがって、表示すべきターゲットピクセルユニット内のサブピクセルを制御する。これに代えて同様に、駆動ＩＣを用いて、２つのサブピクセルの色成分の平均値を計算し、これにより、理論ピクセルユニットグループ内の対応する色を有する２つのサブピクセルの色成分の平均値にしたがって、表示すべきターゲットピクセルユニット内のサブピクセルを制御する。
【００５０】
さらに、図１１（ｂ）に示すように、列方向における２つの隣接するターゲットピクセルユニットグループは同じ構造を有し、行方向における２つの隣接するターゲットピクセルユニットグループは１８０度回転すると同じ構造を有する。すなわち、ターゲットピクセルユニットグループ内の２つの三角形ピクセルユニット（例えばＰ１とＰ２）は上側に配置され、矩形ピクセルユニット（例えばＰ３）は下側に配置されている。これに対して、行方向における別の隣接するターゲットピクセルユニットグループにおいて、２つの三角形ピクセルユニットは下側に配置され、矩形ピクセルユニットは上側に配置されている。このように、２つの隣接するターゲットピクセルユニットグループにおいて、２つの基本ピクセルユニットと等価である必要があるターゲットピクセルユニットのサブピクセルは、異なる行に分散している。
【００５１】
本発明は、ピクセルユニットの構造を変更することができる。この実施形態の別駆動方法を、図１２と図１３を参照して以下詳細に説明する。
【００５２】
図１３に示すように、ターゲットピクセルユニットグループにおいて、中間行のサブピクセルと中間列のサブピクセルは、２つの基本ピクセルユニット内の対応する色を有するサブピクセルの色成分を有する必要があり、２つの基本ピクセルユニット内の対応する色を有するサブピクセルの色成分の最大値または平均値を出力する。
【００５３】
具体的には、ターゲットピクセルユニットＰ１内の緑サブピクセルの色成分は、基本ピクセルユニットＰ１’内の緑サブピクセルＧ１１の色成分と等価であり；ターゲットピクセルユニットＰ１内の赤サブピクセルの色成分は、基本ピクセルユニットＰ１’とＰ２’内の２つの赤サブピクセルＲ１１とＲ１２の色成分の最大値または平均値と等価であり；ターゲットピクセルユニットＰ１内の青サブピクセルの色成分は、基本ピクセルユニットＰ１’とＰ３’内の２つの青サブピクセルＢ１１とＢ１２の色成分の最大値または平均値と等価である。ターゲットピクセルユニットＰ２内の赤サブピクセルの色成分は、基本ピクセルユニットＰ３’内の赤サブピクセルＲ２１の色成分と等価であり；ターゲットピクセルユニットＰ２内の緑サブピクセルの色成分は、基本ピクセルユニットＰ３’とＰ４’内の２つの緑サブピクセルＧ２１とＧ２２の色成分の最大値または平均値と等価であり；ターゲットピクセルユニットＰ２内の青サブピクセルの色成分は、基本ピクセルユニットＰ３’とＰ４’内の２つの青サブピクセルＢ２１とＢ２２の色成分の最大値または平均値と等価である。ターゲットピクセルユニットＰ３内の赤サブピクセルの色成分は、基本ピクセルユニットＰ４’内の赤サブピクセルＲ２２の色成分と等価である。ターゲットピクセルユニットＰ３内の緑サブピクセルの色成分は、基本ピクセルユニットＰ２’内の緑サブピクセルＧ１２の色成分と等価である。ターゲットピクセルユニットＰ３内の青サブピクセルの色成分は、基本ピクセルユニットＰ１’とＰ４’内の２つの青サブピクセルＢ１１とＢ２２の色成分の最大値または平均値と等価である。このように、各ターゲットピクセルユニットグループのターゲットピクセルユニット内において、２つの基本ピクセルユニットのサブピクセルの色成分を有する必要があるサブピクセルは、全体的に交差パターン状に分散している。
【００５４】
この実施形態の別駆動方法を、図１４と図１５を参照して以下詳細に説明する。
【００５５】
図１４と図１５の各ターゲットピクセルユニットグループにおいて、矩形ピクセルユニット内のみにおける１つのサブピクセルが、２つの基本ピクセルユニット内の対応する色を有するサブピクセルの色成分を有する必要があり、このサブピクセルの色成分は、２つの基本ピクセルユニット内の対応する色を有するサブピクセルの色成分の最大値または平均値と等価である。
【００５６】
具体的には、ターゲットピクセルユニットＰ１内において、緑サブピクセルの色成分は、基本ピクセルユニットＰ１’内の緑サブピクセルＧ１１の色成分と等価である。赤サブピクセルの色成分は、基本ピクセルユニットＰ１’内の赤サブピクセルＲ１１の色成分と等価である。青サブピクセルの色成分は、基本ピクセルユニットＰ１’内の青サブピクセルＢ１１の色成分と等価である。ターゲットピクセルユニットＰ２内において、赤サブピクセルの色成分は、基本ピクセルユニットＰ２’内の赤サブピクセルＲ１２の色成分と等価である。緑サブピクセルの色成分は、基本ピクセルユニットＰ２’内の緑サブピクセルＧ１２の色成分と等価である。青サブピクセルの色成分は、基本ピクセルユニットＰ２’内の青サブピクセルＢ１２の色成分と等価である。
【００５７】
ターゲットピクセルユニットＰ３内において、赤サブピクセルの色成分は、基本ピクセルユニットＰ４’内の赤サブピクセル（例えばＲ２２）の色成分と等価である。緑サブピクセルの色成分は、基本ピクセルユニットＰ３’内の緑サブピクセル（例えばＧ２１）の色成分と等価である。青サブピクセルの色成分は、基本ピクセルユニットＰ３’とＰ４’内の青サブピクセルＢ２１とＢ２２の色成分の最大値または平均値と等価である。
【００５８】
上記ピクセル構造に基づき、本発明は、ピクセル構造に合致するピクセル駆動方法を提供する。本方法において、従来のＲｅａｌＲＧＢピクセル構造を圧縮して、理論ピクセルユニットグループ内の４つのピクセルユニットを、ターゲットピクセルユニットグループ内の３つのピクセルユニットと等価にし（圧縮率は７５％に達する）、これにより、ターゲットピクセルユニットグループ内の少なくとも１つのサブピクセルの色成分は、理論ピクセルユニットグループ内の２つのサブピクセルの色成分の最大値または平均値と等価となる。したがって、ターゲットピクセルユニットグループ内の少なくとも１つのサブピクセルは、理論ピクセルユニットグループ内の２つのサブピクセルの機能を実施する。このピクセル駆動方法は、特に高ＰＰＩ（ＰＰＩが３００以上）ピクセル構造に対して適用することができる。実験結果によれば、ディスプレイスクリーンの高ＰＰＩにより、ピクセル構造とその駆動方法のより良い効果が得られた。
【００５９】
本明細書の実施形態を順次記載し、各実施形態は他実施形態とは異なる部分を強調し、実施形態の同一または類似部分は互いに参照することによって得られることを付言しておく。
【００６０】
上記実施形態は本発明を詳細に説明した。ただし、以上は本発明の望ましい実施形態を記載したに過ぎず、本発明を限定する意図ではないことを理解されたい。開示する内容にしたがって当業者がなす任意の置き換えや変形は、全て本発明の特許請求範囲の保護範囲に含まれる。
【図１】
2020504838.tif 000003
【図２】
2020504838.tif 000004
【図３】
2020504838.tif 000005
【図４】
2020504838.tif 000006
【図５】
2020504838.tif 000007
【図６】
2020504838.tif 000008
【図７】
2020504838.tif 000009
【図８】
2020504838.tif 000010
【図９】
2020504838.tif 000011
【図１０】
2020504838.tif 000012
【図１１】
2020504838.tif 000013
【図１２】
2020504838.tif 000014
【図１３】
2020504838.tif 000015
【図１４】
2020504838.tif 000016
【図１５】
2020504838.tif 000017
【国際調査報告】
2020504838.tif 000018
2020504838.tif 000019
2020504838.tif 000020
2020504838.tif 000021